(57)【要約】 【課題】  ホログラム記録とＲＯＭの再生あるいは熱記録を１枚の記録媒体で行うことができるとともに、記録容量を維持しつつ、ホログラムの記録位置を容易に検出することができる光記録媒体を提供することを目的とする。【解決手段】  物体光と参照光とを照射して、該物体光の情報を干渉縞として記録するホログラム記録層を一方の面に有し、他方の面にあらかじめ凹部または凸部状のピットが形成されたＲＯＭ層を有することにより、ホログラムの記録位置を容易に検出することができる光記録媒体を提供する。【選択図】  図１          
2005259197.tif 000002
【特許請求の範囲】
【請求項１】
物体光と参照光とを照射して、該物体光の情報を干渉縞として記録するホログラム記録層を一方の面に有し、他方の面にあらかじめ凹部または凸部状のピットが形成されたＲＯＭ層を有することを特徴とする光記録媒体。  
【請求項２】
前記ＲＯＭ層に光記録媒体上の位置情報が記録されていることを特徴とする請求項１に記載された光記録媒体。
【請求項３】
前記ＲＯＭ層を有する面は、ＲＯＭ型光ディスクで構成されていることを特徴とする請求項１から請求項２のいずれかに記載された光記録媒体。
【請求項４】
物体光と参照光とを照射して、該物体光の情報を干渉縞として記録するホログラム記録層を一方の面に有し、他方の面に熱記録層を有することを特徴とする光記録媒体。
【請求項５】
前記熱記録層に凹部または凸部状の溝が形成されていることを特徴とする請求項４に記載された光記録媒体。
【請求項６】
前記凹部または凸部状の溝の間隔が、ホログラムをシフト多重記録する時の凹部または凸部状の溝に直交した方向に対するホログラムシフト量の約数であることを特徴とする請求項５に記載された光記録媒体。
【請求項７】
前記熱記録層に、光記録媒体上の位置情報が記録されていることを特徴とする請求項４から請求項６のいずれかに記載された光記録媒体。
【請求項８】
前記熱記録層を有する面は、記録型光ディスクで構成されていることを特徴とする請求項４から請求項７のいずれかに記載された光記録媒体。
【請求項９】
前記ホログラム記録層と前記熱記録層あるいは前記ＲＯＭ層の間に全反射層を有することを特徴とする請求項１から請求項８のいずれかに記載された光記録媒体。
【発明の詳細な説明】
【技術分野】
【０００１】
本発明は、情報を物体光と参照光とにより、干渉縞として記録するホログラム記録層と、従来の光記録方式等による記録層とを併せもつ光記録媒体に関する。
【背景技術】
【０００２】
近年、情報の記録媒体として相変化型や光磁気型などの書き換え可能な光ディスクが、広く普及している。これらの光ディスクは、さらに記録密度を高めるためには、ビームスポット径を小さくして、隣接トラックまたは隣接ビットとの距離を短くするなどの技術が必要である。
【０００３】
このように、光ディスクの高密度化は年々進んでいるが、一方で、上記の光ディスクは面内に情報を記録するため、その記録密度は光の回折限界に制限され、高密度記録の物理的限界に近づいている。したがって、更なる大容量化のためには、奥行き方向を含めた３次元（体積型）の多重記録が必要となる。
【０００４】
そこで、次世代のコンピュータファイルメモリとして、３次元的多重記録領域に由来する大容量性と２次元一括記録再生方式に由来する高速性とを兼ね備えたホログラムメモリが注目されている。ホログラムメモリは、例えば、フォトポリマーなどを記録材料とする記録層を２枚のガラス板に挟み込んで形成した記録媒体に記録情報に対応する物体光と参照光とを照射し、双方の光により生成される干渉縞を記録材料の屈折率の変化として記録するものであり、情報の再生時には、記録された干渉縞に対し参照光のみを照射し、記録情報に対応する光学情報を抽出するものである。
【０００５】
このホログラムメモリは、同一の領域に複数の２次元情報を多重記録することが可能であるから、ＣＤ等と同形状でありながら、膨大な記録容量をもつテラバイトメモリとして注目されている。一方で、ホログラムメモリ媒体に情報を多重記録する場合には、光学系を高精度に制御する必要がある。しかし、高精度の制御を実現するためには、記録媒体上に位置を正確に検出する必要がある。そこで、こうした問題に対応して、ホログラムメモリ媒体上にアドレス情報を設ける技術が提案されている（例えば、特許文献１参照）。
【特許文献１】特開平１０−１２４８７２号公報
【発明の開示】
【発明が解決しようとする課題】
【０００６】
しかし、特許文献１に記載された技術においては、位置情報（アドレス情報）を記録するエリアと情報を記録するデータエリアとがホログラムメモリ媒体の同一面に構成されているため、記録面内に連続的にホログラムを多重記録することができず、記録容量の減少を招くといった問題がある。
【０００７】
そこで、本発明は、上述の問題点に鑑みてなされたものであり、ホログラム記録とＲＯＭの再生あるいは熱記録を１枚の記録媒体で行うことができるとともに、記録容量を維持しつつ、ホログラムの記録位置を容易に検出することができる光記録媒体を提供することを目的とする。
【課題を解決するための手段】
【０００８】
請求項１に係る発明は、物体光と参照光とを照射して、該物体光の情報を干渉縞として記録するホログラム記録層を一方の面に有し、他方の面にあらかじめ凹部または凸部状のピットが形成されたＲＯＭ層を有することを特徴とする光記録媒体を提案している。  
【０００９】
この発明によれば、ホログラム記録媒体に、ホログラム記録容量を低下させることなく、あらかじめＲＯＭ情報として任意の情報を記録し、これによって、高精度の位置決め制御を実現することができる。
【００１０】
請求項２に係る発明は、請求項１に記載された光記録媒体について、前記ＲＯＭ層に光記録媒体上の位置情報が記録されていることを特徴とする光記録媒体を提案している。
この発明によれば、ホログラム記録媒体に、ホログラム記録容量を低下させることなく、あらかじめＲＯＭ情報として位置情報を記録しておくことで、ホログラム記録再生時に、所望のアドレスへのアクセスを高速でかつ、精度良く行うことができる。
【００１１】
請求項３に係る発明は、請求項１から請求項２のいずれかに記載された光記録媒体について、前記ＲＯＭ層を有する面は、ＲＯＭ型光ディスクで構成されていることを特徴とする光記録媒体を提案している。
この発明によれば、ＲＯＭ層には任意の情報を記録しておくことが可能であり、またホログラム記録再生時には、ＲＯＭ型光ディスクのアドレス情報を使用することにより、所望のアドレスへのアクセスを高速でかつ、精度良く行うことができる。
【００１２】
請求項４に係る発明は、物体光と参照光とを照射して、該物体光の情報を干渉縞として記録するホログラム記録層を一方の面に有し、他方の面に熱記録層を有することを特徴とする光記録媒体を提案している。
この発明によれば、ホログラム記録媒体に、ホログラム記録容量を低下させることなく、熱記録により任意の情報を追加記録することができる。
【００１３】
請求項５に係る発明は、請求項４に記載された光記録媒体について、前記熱記録層に凹部または凸部状の溝が形成されていることを特徴とする光記録媒体を提案している。
この発明によれば、熱記録層に形成された凹部または凸部状の溝に沿って光学系を制御することにより、光学系を高精度に位置決めすることができる。
【００１４】
請求項６に係る発明は、請求項５に記載された光記録媒体について、前記凹部または凸部状の溝の間隔が、ホログラムをシフト多重記録する時の凹部または凸部状の溝に直交した方向に対するホログラムシフト量の約数であることを特徴とする光記録媒体を提案している。
この発明によれば、凹部状または凸部状の溝の間隔が、ホログラムシフト多重記録のシフト量の約数になっているので、溝に沿って光学系を移動制御することによりホログラム多重記録におけるシフト量を光記録媒体全領域にわたって制御することが可能である。
【００１５】
請求項７に係る発明は、請求項４から請求項６のいずれかに記載された光記録媒体について、前記熱記録層に、光記録媒体上の位置情報が記録されていることを特徴とする光記録媒体を提案している。
この発明によれば、ホログラム記録媒体に、ホログラム記録容量を低下させることなく、位置情報を記録できるので、ホログラム記録再生時に、所望のアドレスへのアクセスを高速でかつ、精度良く行うことができる。
【００１６】
請求項８に係る発明は、請求項４から請求項７のいずれかに記載された光記録媒体について、前記熱記録層を有する面は、記録型光ディスクで構成されていることを特徴とする光記録媒体を提案している。
この発明によれば、熱記録層には任意の情報を記録することが可能であり、またホログラム記録再生時には、記録型光ディスクのアドレス情報を使用することにより、所望のアドレスへのアクセスを高速でかつ、精度良く行うことができる。
【００１７】
請求項９に係る発明は、請求項１から請求項８のいずれかに記載された光記録媒体について、前記ホログラム記録層と前記熱記録層あるいは前記ＲＯＭ層の間に全反射層を有することを特徴とする光記録媒体を提案している。
この発明によれば、ホログラム記録層とＲＯＭ層あるいは熱記録層の間に全反射層を設けたので、ホログラム記録層とＲＯＭ層あるいは熱記録層の信号が互いに干渉することなく高品質の記録再生が可能となる。
【発明の効果】
【００１８】
本発明によれば、ホログラム記録とＲＯＭ再生あるいは熱記録を１枚の記録媒体で行うことができるという効果がある。
また、ホログラム記録媒体のホログラムの記録位置を容易に検出することができるという効果がある。
【発明を実施するための最良の形態】
【００１９】
以下、本発明の実施例に係る光記録媒体について図１から図３を参照して詳細に説明する。
【実施例１】
【００２０】
本発明の第１の実施例に係る光記録媒体１は図１に示すように、基板２と、ホログラム記録層３と、全反射層４と、保護層５と、図示しないコート層、接着層と、ピットが形成された基板６と、ピット７とから構成されている。なお、図１は本実施例に係る光記録媒体１を基板６側から見たときに、これをＡＡ‘で切った断面図である。
【００２１】
ここで、ピット７には、光記録媒体１の位置情報が記録されており、基板６側からその位置情報を光学的に読み込むことにより、ホログラムを記録する位置あるいはホログラムが記録された位置の情報を知ることができる。ただし、ＲＯＭ部に記録されている情報としては、位置情報に限るものではなく、その他の任意の情報を記録しておいてもよい。
また、ＲＯＭ部は、ＲＯＭ型光ディスク、例えば、ＣＤ−ＲＯＭ、ＤＶＤ−ＲＯＭなどとしてもよく、この場合は、ホログラムを記録する位置あるいはホログラムを記録された位置を知る情報は、ＣＤ−ＲＯＭ、ＤＶＤ−ＲＯＭなどのアドレス情報から得ることができる。
【００２２】
また、全反射層４は、ホログラム記録層３に入射する物体光、参照光を反射する層であり、物体光、参照光がＲＯＭ部に透過するのを防止している。したがって、全反射層４により、ホログラム記録層３とＲＯＭ部とが完全に分離できるため、ＲＯＭ部に予め設けられた凹部状または凸部状の位置検出情報を検出する検出光に対して、これらの光が漏れこむことがないため、高品質の記録再生を行うことができる。
【実施例２】
【００２３】
本発明の第２の実施例に係る光記録媒体１は図２に示すように、基板２と、ホログラム記録層３と、全反射層４と、保護層５と、図示しないコート層、接着層と、熱記録層８と、基板９とから構成されている。
【００２４】
この熱記録層８に光記録媒体１の位置情報を記録することにより、基板９側からその位置情報を光学的に読み込み、ホログラムを記録する位置あるいはホログラムが記録された位置の情報を知ることができる。位置情報を記録するタイミングは、ホログラム記録と同時でもよいし、あらかじめ位置情報のみを記録してもよい。また、熱記録する情報は位置情報に限るものではなく、その他の任意の情報を記録してもよい。
【００２５】
また、全反射層４が設けられており、物体光および参照光が熱記録層８に透過するのを防止している。したがって、全反射層４により、ホログラム記録層３と熱記録層８とが完全に分離できるため、熱記録層８に記録された位置情報の読出しや熱記録層への位置情報の記録の際に、熱記録層用の光学系に対して、これらの光が漏れこむことがないため、高品質の記録再生を行うことができる。
【実施例３】
【００２６】
本発明の第３の実施例に係る光記録媒体１は図３に示すように、基板２と、ホログラム記録層３と、全反射層４と、保護層５と、図示しないコート層、接着層と、熱記録層１０と、凹部状または凸部状の溝が形成された基板１１と、凹部状または凸部状の溝１２とから構成されている。なお、図３は基板１１側から見た光記録媒体１をＢＢ‘で切った断面図である。
【００２７】
この熱記録層１０に、光記録媒体１の位置情報を記録することにより、基板１１側からその位置情報を光学的に読み込み、ホログラムを記録する位置あるいはホログラムが記録された位置の情報を知ることができる。位置情報を記録するタイミングは、ホログラム記録と同時でもよいし、あらかじめ位置情報のみを記録してもよい。また、熱記録する情報は位置情報に限るものではなく、その他の任意の情報を記録してもよい。
また、熱記録部は、記録型光ディスク、例えば、ＣＤ−Ｒ／ＲＷ、ＤＶＤ±Ｒ／Ｗなどとしてもよく、この場合は、ホログラムを記録する位置あるいはホログラムを記録された位置を知る情報は、ＣＤ−Ｒ／ＲＷ、ＤＶＤ±Ｒ／Ｗなどのアドレス情報から得ることができる。
【００２８】
ここで、溝の間隔Ｄは、ホログラムをＸ方向にシフト多重記録する場合におけるシフト量の約数の値とする。例えば、シフト量を１２（μm）とすると、Ｄは１、２、３、４、６、１２（μｍ）のいずれかとなる。
【００２９】
また、Ｄ＝１２（μｍ）とすれば、位置情報を検出する検出光学系とホログラムを記録するホログラム記録再生光学系が一体あるいは連動して移動する光学系においては、検出光学系を溝に沿って制御することにより、自動的に記録再生光学系をＸ方向にシフト多重する量だけ移動することができる。また、Ｄ＝３（μｍ）とした時は、検出光学系を溝４つおきに移動制御すれば、自動的に録再生光学系は、Ｘ方向にシフト多重する量だけ移動することになる。
【００３０】
したがって、本実施例によれば、ホログラム記録とＲＯＭ再生あるいは熱記録を１枚の記録媒体で行うことができ、しかも、ホログラム記録媒体のホログラムの記録位置を容易に検出することができる。
【００３１】
以上、図面を参照して本発明の実施例について詳述してきたが、具体的な構成はこれらの実施形態に限られるものではなく、この発明の要旨を逸脱しない範囲の設計変更等も含まれる。
【図面の簡単な説明】
【００３２】
【図１】第１の実施例における光記録媒体の断面図、上面図である。
【図２】第２の実施例における光記録媒体の断面図、上面図である。
【図３】第３の実施例における光記録媒体の断面図、上面図である。
【符号の説明】
【００３３】
１・・・光記録媒体、２、６、９、１１・・・基板、３・・・ホログラム記録層、４・・・全反射層、５・・・保護層、７・・・ピット、８、１０・・・熱記録層、１２・・・溝
【図１】
2005259197.tif 000003
【図２】
2005259197.tif 000004
【図３】
2005259197.tif 000005